(57)【要約】【課題】複数の機能を好適に発揮しつつ、毛などが絡むことを抑制することができるブラシ及び回転ブラシを提供する。【解決手段】ブラシは、第１方向Ａに延びる複数の第１糸５４を第２方向Ｂに並列した第１毛羽部５１と、第１方向Ａに延びるとともに第１糸５４よりも太い複数の第２糸５５を第２方向Ｂに並列した第２毛羽部５２と、第２方向Ｂに延び、第１毛羽部５１と第２毛羽部５２とを重なるように配置した状態で連結する複数の連結糸５３と、を有する毛羽体を備える。毛羽体４１において、第１方向Ａの最も一端側に配置された連結糸５３と最も他端側に配置された連結糸５３との間の領域である内側領域ＵＲは、第１方向Ａにおいて内側領域ＵＲを挟んだ第１外側領域ＳＲ１及び第２外側領域ＳＲ２のそれぞれよりも広くなっている。【選択図】図６
2019037540.tif 000002
【特許請求の範囲】
【請求項１】
第１方向に延びる複数の第１糸を前記第１方向と直交する第２方向に並列した第１毛羽部と、
前記第１方向に延びるとともに前記第１糸よりも太い複数の第２糸を前記第２方向に並列した第２毛羽部と、
前記第２方向に延び、前記第１毛羽部と前記第２毛羽部とを重なるように配置した状態で前記第１毛羽部と前記第２毛羽部とを連結する複数の連結糸と、
を有する毛羽体を備え、
前記毛羽体において、前記第１方向の最も一端側に配置された前記連結糸と最も他端側に配置された前記連結糸との間の領域である内側領域は、前記第１方向において前記内側領域を挟んだ２つの外側領域のそれぞれよりも広いことを特徴とするブラシ。
【請求項２】
前記内側領域は、２つの前記外側領域の和よりも広いことを特徴とする請求項１に記載のブラシ。
【請求項３】
前記第２糸のピッチは、前記第１糸のピッチよりも大きいことを特徴とする請求項１または請求項２に記載のブラシ。
【請求項４】
前記第１糸及び前記第２糸のうちの少なくとも一方は、導電性を有していることを特徴とする請求項１〜請求項３のうちいずれか一項に記載のブラシ。
【請求項５】
回転体と、前記回転体に取着されるブラシとを備え、前記回転体を回転させながら前記ブラシを接触部に接触させるようにして使用される回転ブラシにおいて、
前記ブラシは、請求項１〜請求項４のうちいずれか一項に記載のブラシによって構成されていることを特徴とする回転ブラシ。
【発明の詳細な説明】
【技術分野】
【０００１】
本発明は、例えば電気掃除機などに用いられるブラシ及び当該ブラシを備えた回転ブラシに関する。
【背景技術】
【０００２】
一般に、電気掃除機は、本体部と、当該本体部に接続パイプを介して接続されたヘッドとを備えている。このヘッドを絨毯、フローリング、畳等の床面上で移動させながらヘッドの底面に設けられた吸込口から空気を吸引することにより、本体部内に塵埃が吸い込まれるように構成されている。そして、近年では、例えば絨毯等のように空気の吸引だけでは塵埃を吸い込みにくい床面に対する集塵能力を向上させるため、ヘッド内に回転ブラシを設けた電気掃除機が数多く見られるようになってきた（例えば、特許文献１参照）。
【０００３】
こうした回転ブラシは、回転体と、当該回転体の周面に取着された複数のブラシとを備えており、回転体を回転させることで、複数のブラシが床面上のごみを掻き取るようになっている。ブラシは、長尺状の基材と、基材に接合された帯状の毛羽体とを備えている。毛羽体は、複数のＵ字状をなす糸と、これらの糸を並列させた状態で連結させる複数の保持糸とを備えている。
【０００４】
そして、毛羽体における糸の延びる方向の両端部以外の部分を保持糸が占めるように構成することで、ブラシが床面上のごみを掻き取る際に、これらの保持糸によって毛羽体の奥まで毛などが絡むことを抑制している。
【先行技術文献】
【特許文献】
【０００５】
【特許文献１】特開２０１６−１５８７７８号公報
【発明の概要】
【発明が解決しようとする課題】
【０００６】
ところで、上述のような回転ブラシでは、毛羽体を構成する糸をマイクロファイバーのような極細の繊維で構成した場合、硬質の床面上の細かいごみを拭き取るには都合がよいが、カーペット上のごみを掻き取るには軟らかすぎて不向きである。一方、毛羽体を構成する糸を太くすると、カーペット上のごみを掻き取るには都合がよいが、硬質の床面上の細かいごみを拭き取るには硬すぎて不向きである。
【０００７】
つまり、上述のような回転ブラシでは、毛などが絡むことを抑制できるが、硬質の床面上の細かいごみを拭き取る機能やカーペット上のごみを掻き取る機能などの複数の機能を好適に発揮することが困難であるという問題がある。
【０００８】
本発明は、このような問題に着目してなされたものである。その目的は、複数の機能を好適に発揮しつつ、毛などが絡むことを抑制することができるブラシ及び回転ブラシを提供することにある。
【課題を解決するための手段】
【０００９】
以下、上記課題を解決するための手段及びその作用効果について記載する。
上記課題を解決するブラシは、第１方向に延びる複数の第１糸を前記第１方向と直交する第２方向に並列した第１毛羽部と、前記第１方向に延びるとともに前記第１糸よりも太い複数の第２糸を前記第２方向に並列した第２毛羽部と、前記第２方向に延び、前記第１毛羽部と前記第２毛羽部とを重なるように配置した状態で前記第１毛羽部と前記第２毛羽部とを連結する複数の連結糸と、を有する毛羽体を備え、前記毛羽体において、前記第１方向の最も一端側に配置された前記連結糸と最も他端側に配置された前記連結糸との間の領域である内側領域は、前記第１方向において前記内側領域を挟んだ２つの外側領域のそれぞれよりも広いことを要旨とする。
【００１０】
この構成によれば、内側領域が２つの外側領域のそれぞれよりも広いので、例えば第１毛羽部及び第２毛羽部の一端側を床面上に摺動させて床面上の毛などのごみを掻き取る場合に、こうした毛が連結糸によって第１毛羽部及び第２毛羽部に深く進入することが抑制され、毛羽体に毛が絡まることを抑制できる。加えて、第１毛羽部を構成する第１糸よりも第２毛羽部を構成する第２糸の方が太いので、第１毛羽部及び第２毛羽部に互いに異なる機能を発揮させることができる。したがって、複数の機能を好適に発揮しつつ、毛などが絡むことを抑制することができる。
【００１１】
上記ブラシにおいて、前記内側領域は、２つの前記外側領域の和よりも広いことが好ましい。
この構成によれば、内側領域が広くなるので、毛などが第１毛羽部及び第２毛羽部に深く進入することを連結糸によって効果的に抑制できる。
【００１２】
上記ブラシにおいて、前記第２糸のピッチは、前記第１糸のピッチよりも大きいことが好ましい。
この構成によれば、第１糸よりも太い第２糸の数が第１糸の数よりも少なくなるので、毛羽体が硬くなり過ぎないようにしつつ、第２糸によって第１糸を支えることができる。
【００１３】
上記ブラシにおいて、前記第１糸及び前記第２糸のうちの少なくとも一方は、導電性を有していることが好ましい。
例えばブラシを電気掃除機用の回転ブラシに用いる場合、導電性を有する糸には静電気が貯まりにくいので、ブラシで掻き取ったり拭き取ったりした塵埃などが静電気によってブラシに付着することが抑制される。この点、この構成によれば、第１糸及び第２糸のうちの少なくとも一方が導電性を有しているため、例えばブラシで掻き取ったり拭き取ったりした塵埃などを電気掃除機で吸い込む際に、ブラシから塵埃などが容易にリリースされるようにすることができる。
【００１４】
上記課題を解決する回転ブラシは、回転体と、前記回転体に取着されるブラシとを備え、前記回転体を回転させながら前記ブラシを接触部に接触させるようにして使用される回転ブラシにおいて、前記ブラシは、上記構成のブラシによって構成されていることを要旨とする。
【００１５】
この構成によれば、上記ブラシと同様の作用効果を得ることができる。
【発明の効果】
【００１６】
本発明によれば、複数の機能を好適に発揮しつつ、毛などが絡むことを抑制することができる。
【図面の簡単な説明】
【００１７】
【図１】一実施形態の電気掃除機のヘッドを示す平断面模式図。
【図２】電気掃除機のヘッドの使用状態を示す側断面模式図。
【図３】電気掃除機の回転ブラシを示す模式斜視図。
【図４】図３の側面拡大図。
【図５】ブラシの模式斜視図。
【図６】毛羽体の平面模式図。
【図７】毛羽体の要部を第１毛羽部側から見たときの拡大模式図。
【図８】毛羽体の要部を第２毛羽部側から見たときの拡大模式図。
【図９】毛羽体の製造過程を示す平面模式図。
【図１０】毛羽体の製造過程を示す平面模式図。
【図１１】変更例の毛羽体の平面模式図。
【図１２】変更例の毛羽体の平面模式図。
【図１３】変更例の毛羽体の平面模式図。
【発明を実施するための形態】
【００１８】
以下、回転ブラシの一実施形態を図面に基づいて説明する。
図１及び図２に示すように、接触部の一例としての床面Ｆ上の毛や塵埃などのごみを吸い込むための電気掃除機のヘッド１１は、平面視略Ｔ字状のケース１２を備えている。ケース１２の後端部には接続パイプ１３の一端側がケース１２に対して回動可能に接続され、接続パイプ１３の他端側は電気掃除機の本体部（図示略）に接続されている。ケース１２の底壁における前端側の位置には、左右方向に長い矩形状の吸込口１４が当該底壁を貫通するように形成されている。
【００１９】
ケース１２の内底面上には矩形枠状をなす仕切板１５が吸込口１４を囲むように立設され、仕切板１５を構成する後壁の中央部には当該後壁を貫通するようにエア吸引口１６が形成されている。ケース１２の左内側面にはモーター軸受１７が設けられ、モーター軸受１７はケース１２内における仕切板１５の後方に設けられたモーター１８から延びるモーター軸１９の先端を回転可能に支持している。
【００２０】
仕切板１５の左右両側壁にはそれぞれ回転支持体２０が設けられ、両回転支持体２０はケース１２の左右両内側面に設けられたブラシ軸受２１によってそれぞれ回転可能に支持されている。仕切板１５の内側には回転軸線が左右方向に延びる回転ブラシ２２が収容され、回転ブラシ２２の両端部は両回転支持体２０によってそれぞれ支持されている。
【００２１】
左側の回転支持体２０と、モーター軸１９に取着されたプーリー１９ａとには、１つの無端状のベルト２３が巻き掛けられている。そして、モーター１８が駆動されると、モーター１８の回転駆動力が、モーター軸１９、プーリー１９ａ、ベルト２３、及び左側の回転支持体２０を介して回転ブラシ２２に伝達される。
【００２２】
次に、回転ブラシ２２の構成について詳述する。
図３及び図４に示すように、回転ブラシ２２は、断面視略Ｘ字状をなす略丸棒状の回転体３１と、回転体３１に取着された４つのクリーニング用のブラシ３２とを備えている。回転体３１は、４つの断面視略Ｔ字状をなす突条３１ａの基端部同士をこれらの突条３１ａが回転体３１の周方向に等間隔に配置されるように一体に連結し、さらにその全体にわたって周方向に約１８０度捻ったような形状をなしている。
【００２３】
したがって、回転体３１の周面には、回転体３１の周方向で隣り合う突条３１ａ同士の間に螺旋状をなす４本の凹溝３３が形成される。これら４本の凹溝３３は、回転体３１の周方向に等間隔の配置態様となるように回転体３１の一方の端面から他方の端面にわたって延びている。そして、これらの凹溝３３内にブラシ３２が１つずつ着脱自在に装着される。なお、各凹溝３３の開口部３３ａは、各突条３１ａの先端部に備えられた突片３１ｂによって狭められている。
【００２４】
次に、ブラシ３２の構成について詳述する。
図５に示すように、ブラシ３２は、長尺状の基材４０と、基材４０に接合された帯状の毛羽体４１とを備えている。基材４０は、熱可塑性の合成樹脂（本実施形態では、ポリアミド）を押出成形することによって形成される。基材４０は、回転体３１の凹溝３３（図４参照）に挿入して係止するための矩形状をなす係止部４２と、帯状の毛羽体４１の幅方向（図５では上下方向）の一端部を挟持するために係止部４２に設けられた挟持部４３とを備えている。
【００２５】
挟持部４３は、係止部４２上に係止部４２の短手方向において対向するように立設された一対の矩形状をなす挟持片４３ａによって構成されている。一対の挟持片４３ａにおける先端側は、係止部４２の短手方向において互いに離れるように、一対の挟持片４３ａにおける基端側に対して垂直に延びている。すなわち、一対の挟持片４３ａにおける先端側は、係止部４２と平行に延びている。そして、両挟持片４３ａにおける基端側は、帯状をなす毛羽体４１の幅方向の一端部（一方側）を挟持した状態で、１本の縫製糸４４により毛羽体４１に縫着（接合）されている。
【００２６】
図４及び図５に示すように、基材４０の幅方向における係止部４２の幅は、回転体３１の凹溝３３の開口部３３ａの幅よりも大きくなっている。そして、回転体３１にブラシ３２を取り付ける場合には、毛羽体４１が凹溝３３の開口部３３ａから外側へ突出するように、回転体３１の端部から各凹溝３３内に基材４０の係止部４２をスライド挿入する。すると、基材４０（ブラシ３２）は、適度な剛性と弾性とを有しているため、各凹溝３３に沿って螺旋状に捻れた状態で回転体３１に容易に装着される。
【００２７】
次に、毛羽体４１の構成について詳述する。
図５及び図６に示すように、毛羽体４１は、第１毛羽部５１と、第２毛羽部５２と、第１毛羽部５１と第２毛羽部５２とを連結する複数の連結糸５３とを備えている。第１毛羽部５１は、第１方向Ａに延びる複数の略Ｕ字状の第１糸５４を第１方向Ａと直交する第２方向Ｂに並列した構成とされている。第２毛羽部５２は、第１方向Ａに延びるとともに第１糸５４よりも太い複数の略Ｕ字状の第２糸５５を第２方向Ｂに並列した構成とされている。連結糸５３は、第２方向Ｂに延び、第１毛羽部５１と第２毛羽部５２とを層状に重なるように配置した状態で第１毛羽部５１と第２毛羽部５２とを連結する。
【００２８】
第１糸５４は、複数本よりなるマルチフィラメントである極細の繊維を略Ｕ字状にした繊維束によって構成されている。第２糸５５は、複数本のモノフィラメントである極太の繊維を束ねて略Ｕ字状にした繊維束によって構成されている。本実施形態において、第１毛羽部５１と第２毛羽部５２とは、第１糸５４及び第２糸５５が延びる第１方向Ａを高さ方向とした場合の高さが同じになっている。
【００２９】
図７及び図８に示すように、第２毛羽部５２を構成する複数の第２糸５５の第２方向Ｂにおけるピッチは、第１毛羽部５１を構成する複数の第１糸５４の第２方向Ｂにおけるピッチよりも大きくなっている。本実施形態では、複数の第２糸５５の第２方向Ｂにおけるピッチが複数の第１糸５４の第２方向Ｂにおけるピッチの２倍となるように設定されている。
【００３０】
図５及び図６に示すように、第１糸５４を構成する繊維としては、ポリアミド（ナイロン）繊維、レーヨン繊維、キュプラ繊維、アクリル繊維、ポリプロピレン繊維、ポリエステル繊維などを採用することができる。本実施形態における第１糸５４を構成する繊維には、繊維径が０．０３ミリメートルのポリアミド繊維が採用されている。ポリアミド繊維は、耐摩耗性及び復元性に優れているため、第１糸５４の材料として本用途に好適である。
【００３１】
第２糸５５を構成する繊維としては、炭素繊維、炭素を練り込んだ合成樹脂繊維などの導電性を有する繊維を採用することができる。本実施形態における第２糸５５を構成する繊維には、繊維径が０．４ミリメートルの導電性を有したポリアミド繊維が採用されている。ポリアミド繊維は、耐摩耗性及び復元性に優れているため、第２糸５５の材料として本用途に好適である。
【００３２】
図６に示すように、複数（本実施形態では８本）の連結糸５３は、第２方向Ｂへ並列された複数の第１糸５４及び複数の第２糸５５において、第１方向Ａにおける両端部を除いた大半の領域を占めるように、複数位置（本実施形態では８位置）で各第１糸５４及び各第２糸５５に巻き付くように配置されている。複数の連結糸５３は、第２方向Ｂに沿うように延びており、第１方向Ａにおいて等間隔で互いに平行となるように配置されている。
【００３３】
各連結糸５３は、耐久性及び柔軟性が高い繊維により形成される。このような条件を満たす繊維としては、レーヨン繊維、キュプラ繊維、ポリエステル繊維、ポリアミド繊維、アクリル繊維、ポリプロピレン繊維などが挙げられる。本実施形態における各連結糸５３は、ポリエステル繊維によって構成され、一部に加熱することによって溶融する熱溶融繊維を含んでいる。
【００３４】
毛羽体４１において、第１方向Ａの最も一端側に配置された連結糸５３と最も他端側に配置された連結糸５３との間の領域は、内側領域ＵＲとされている。したがって、本実施形態では、内側領域ＵＲに複数（６本）の連結糸５３が第１方向Ａにおいて等間隔で互いに平行となるように配置される。つまり、毛羽体４１における内側領域ＵＲには、ほぼ全体にわたって各連結糸５３が配置されている。
【００３５】
また、毛羽体４１において、内側領域ＵＲを第１方向Ａにおいて挟んだ２つの領域は、それぞれ外側領域を構成する第１外側領域ＳＲ１及び第２外側領域ＳＲ２とされている。この場合、第１外側領域ＳＲ１は毛羽体４１における第１糸５４及び第２糸５５の第１方向Ａの湾曲した部分側の端部に位置し、第２外側領域ＳＲ２は毛羽体４１における第１糸５４及び第２糸５５の第１方向Ａの湾曲した部分側とは反対側の端部に位置している。
【００３６】
内側領域ＵＲは、第１外側領域ＳＲ１及び第２外側領域ＳＲ２よりもそれぞれ広くなっている。すなわち、内側領域ＵＲは、第１外側領域ＳＲ１よりも広く、且つ第２外側領域ＳＲ２よりも広くなっている。本実施形態では、内側領域ＵＲは、第１外側領域ＳＲ１及び第２外側領域ＳＲ２の和よりも広くなっている。
【００３７】
さらに、本実施形態では、第１方向Ａにおいて、内側領域ＵＲの幅が１２ｍｍに設定され、第１外側領域ＳＲ１の幅が１ｍｍに設定され、第２外側領域ＳＲ２の幅が３ｍｍに設定されている。すなわち、本実施形態では、内側領域ＵＲが毛羽体４１全体の約７５％を占めており、第１外側領域ＳＲ１が毛羽体４１全体の約６％を占めており、第２外側領域ＳＲ２が毛羽体４１全体の約１９％を占めている。なお、毛羽体４１における第２外側領域ＳＲ２では、各第１糸５４及び各第２糸５５が連結糸５３によって連結されていないため、これらを構成する各繊維が開いた状態となる。
【００３８】
図９に示すように、毛羽体４１を製造する場合には、まず、長尺の第１糸５４及び長尺の第２糸５５を層状に重ねるようにして蛇行状に編み、それぞれの両側の湾曲した部分よりも幅方向の内側の複数位置を互いに平行に延びる複数（この場合は、１６対）の連結糸５３でそれぞれ編む。
【００３９】
続いて、図１０に示すように、熱プレス加工を行って各連結糸５３に含まれる熱溶融繊維を溶融させた後、自然冷却する。これにより、溶融していた熱溶融繊維が固化するので、各連結糸５３と、各第１糸５４及び各第２糸５５とが強固に連結される。
【００４０】
このとき、連結糸５３間の第１方向Ａにおける距離（ピッチ）は、連結糸５３の幅よりも狭くなるように設定されているため、連結糸５３に含まれる熱溶融繊維を溶融させた際に、その溶融した合成樹脂成分が連結糸５３間の隙間にも浸透する。したがって、内側領域ＵＲ（図６参照）全体が一体のシート様に形成される。その後、幅方向の中央を切断する（図１０中の矢印に沿って切断する）ことによって同時に２つの毛羽体４１が形成される。
【００４１】
また、図５に示すように、ブラシ３２を形成する場合には、まず、基材４０の両挟持片４３ａ間に、毛羽体４１の第１方向Ａにおける湾曲した部分側の端部（第１方向Ａの一方側である基端側）を挿入した状態にする。この状態で、工業用ミシン（図示略）を用いて、縫製糸４４により、両挟持片４３ａと、毛羽体４１の第１方向Ａにおける湾曲した部分側の端部とを縫着することで、ブラシ３２が形成される。
【００４２】
次に、回転ブラシ２２の作用について説明する。
さて、電気掃除機を使用するときには、図２に示すように、まず、ヘッド１１を床面Ｆ上に載せる。この状態で電気掃除機を稼動させると、モーター１８が駆動されるとともに、仕切板１５の内側のエアがエア吸引口１６を通り、接続パイプ１３を介して電気掃除機の本体部（図示略）内に吸引される。
【００４３】
このとき、モーター１８の駆動に連動して回転ブラシ２２が左側から見て反時計方向（図２の矢印で示す方向）に回転されながら、回転ブラシ２２のブラシ３２の毛羽体４１における第２外側領域ＳＲ２が主に床面Ｆに摺接（接触）される。すると、床面Ｆ上の毛や塵埃などのごみが毛羽体４１における第２外側領域ＳＲ２によって掻き取られてエアとともに電気掃除機の本体部（図示略）内に吸引される。
【００４４】
このとき、毛羽体４１における内側領域ＵＲにはほぼ全体にわたって各連結糸５３が配置されている。このため、床面Ｆ上の毛（特に頭髪（毛髪）やペットの毛など）などは、毛羽体４１における第２外側領域ＳＲ２に絡むことがあるが、各連結糸５３によってブロックされるので、毛羽体４１における内側領域ＵＲにまで深く絡むことが抑制される。
【００４５】
この場合、特に毛羽体４１における内側領域ＵＲは第２外側領域ＳＲ２よりも格段に広いため、毛羽体４１の奥深くまで毛などが進入し難くなる。したがって、回転ブラシ２２の使用によって毛羽体４１（ブラシ３２）に毛などが絡み難くなり、たとえ毛羽体４１（ブラシ３２）に毛などが絡みついたとしても容易に除去することができる。
【００４６】
さらに、回転ブラシ２２のブラシ３２の毛羽体４１は、第１糸５４で構成された第１毛羽部５１と、第１糸５４よりも太い第２糸５５で構成された第２毛羽部５２とが層状に重ねられた構成であり、床面Ｆに摺接して撓んだ際に床面Ｆに当たる側が第１毛羽部５１となるように配置されている。
【００４７】
このため、毛羽体４１は、比較的細くて軟らかい第１糸５４によって構成された第１毛羽部５１が床面Ｆに摺接して撓みながら床面Ｆ上の比較的細かい塵埃などを拭き取るとともに、比較的太くて硬い第２糸５５によって構成された第２毛羽部５２が第１毛羽部５１を支えながら床面Ｆ上の比較的大きい塵埃などを掻き取る。
【００４８】
すなわち、毛羽体４１（ブラシ３２）は、第１毛羽部５１による床面Ｆ上の塵埃などの拭き取り機能を発揮するとともに、第２毛羽部５２による床面Ｆ上の塵埃などの掻き取り機能を発揮する。毛羽体４１（ブラシ３２）によって拭き取られたり掻き取られたりした床面Ｆ上の塵埃は、エアとともに電気掃除機の本体部（図示略）内に吸引される。
【００４９】
したがって、上述のように、毛羽体４１（ブラシ３２）は、床面Ｆ上の塵埃などに対して拭き取る機能と掻き取る機能とを同時に十分に発揮しつつ、毛などが絡むことを効果的に抑制する。
【００５０】
以上詳述した実施形態によれば次のような効果が発揮される。
（１）ブラシ３２は、第１毛羽部５１と、第２毛羽部５２と、第１毛羽部５１と第２毛羽部５２とを重なるように配置した状態で連結する複数の連結糸５３とを有する毛羽体４１を備え、毛羽体４１における内側領域ＵＲは第１外側領域ＳＲ１及び第２外側領域ＳＲ２のそれぞれよりも広い。この構成によれば、内側領域ＵＲが第１外側領域ＳＲ１及び第２外側領域ＳＲ２のそれぞれよりも広いので、毛羽体４１の第１方向Ａの一端側を床面Ｆ上に摺動させて床面Ｆ上の毛などのごみを掻き取る場合に、こうした毛が連結糸５３によって第１毛羽部５１及び第２毛羽部５２に深く進入することを抑制できる。このため、毛羽体４１に毛が絡まることを抑制できる。加えて、第１毛羽部５１を構成する第１糸５４よりも第２毛羽部５２を構成する第２糸５５の方が太いので、第１毛羽部５１及び第２毛羽部５２に互いに異なる機能を発揮させることができる。したがって、ブラシ３２は、複数の機能を好適に発揮しつつ、毛などが絡むことを抑制することができる。
【００５１】
（２）ブラシ３２において、内側領域ＵＲは、第１外側領域ＳＲ１及び第２外側領域ＳＲ２の和よりも広い。このため、内側領域ＵＲが広くなるので、毛などが第１毛羽部５１及び第２毛羽部５２に深く進入することを連結糸５３によって効果的に抑制できる。
【００５２】
（３）ブラシ３２において、第２糸５５のピッチは、第１糸５４のピッチよりも大きい。このため、第１糸５４よりも太い第２糸５５の数が第１糸５４の数よりも少なくなるので、毛羽体４１が硬くなり過ぎないようにしつつ、第２糸５５によって第１糸５４を支えることができる。
【００５３】
（４）ブラシ３２において、第２糸５５は導電性を有している。このため、ブラシ３２を電気掃除機用の回転ブラシ２２に用いる場合、導電性を有する第２糸５５には静電気が貯まりにくいので、ブラシ３２で掻き取ったり拭き取ったりした塵埃などが静電気によってブラシ３２に付着することを抑制できる。したがって、ブラシ３２で掻き取ったり拭き取ったりした塵埃などを電気掃除機で吸い込む際に、ブラシ３２から塵埃などが容易にリリースされるようにすることができる。
【００５４】
（変更例）
なお、上記実施形態は、次のように変更して具体化することも可能である。
・図１１に示すように、毛羽体４１（ブラシ３２）の内側領域ＵＲには、必ずしも連結糸５３を配置する必要はない。この場合、毛羽体４１は、連結糸５３を２本だけ備えることになる。
【００５５】
・図１２に示すように、毛羽体４１（ブラシ３２）の内側領域ＵＲには、第１方向Ａの中央部に連結糸５３を１本だけ配置するようにしてもよい。この場合、毛羽体４１は、連結糸５３を３本だけ備えることになる。
【００５６】
・図１３に示すように、毛羽体４１（ブラシ３２）には、複数（ここでは５本）の連結糸５３を第１方向Ａにおいて順次に隣接（接触）するように配置してもよい。このようにすれば、内側領域ＵＲ全体が複数の連結糸５３で覆われるので、毛羽体４１（ブラシ３２）に毛などが絡みつくことを効果的に抑制できる。
【００５７】
・ブラシ３２における連結糸５３の本数は、上記実施形態及び上記図１１〜図１３における本数に限定されず、任意に変更してもよい。この場合、連結糸５３の密度（連結糸５３の本数や連結糸５３同士の間隔）を適宜変更することで、毛羽体４１（ブラシ３２）の柔らかさを容易に調節することができる。
【００５８】
・第１方向Ａを高さ方向とした場合において、第２毛羽部５２の高さを第１毛羽部５１の高さよりも低くしてもよい。このようにすれば、ブラシ３２の床面Ｆに対する摺動抵抗を低減できる。
【００５９】
・毛羽体４１は、第１毛羽部５１及び第２毛羽部５２に加えて、第１方向Ａに延びる複数の第３糸を第２方向Ｂに並列した第３毛羽部をさらに積層することで、３層以上の構成にしてもよい。この場合、第３毛羽部を構成する第３糸に新たな機能（例えば、抗菌機能）を付与するようにしてもよい。さらにこの場合、第１毛羽部５１、第２毛羽部５２、及び第３毛羽部は、それぞれ高さを適宜変更することができ、例えば、高さが互いに異なるようにしてもよいし、高さが互いに同じになるようにしてもよい。
【００６０】
・第１糸５４の少なくとも一部に導電性の糸を合糸して、第１糸５４に導電性を持たせるようにしてもよい。この場合、第２糸５５には、導電性を持たせても持たせなくてもよい。
【００６１】
・第１糸５４及び第２糸５５の両方に導電性を持たせなくてもよい。
・第２糸５５ピッチは、第１糸５４のピッチの２倍よりも大きくしてもよい。例えば、第２糸５５ピッチを第１糸５４のピッチの３倍以上にしてもよい。
【００６２】
・ブラシ３２において、内側領域ＵＲは、必ずしも第１外側領域ＳＲ１及び第２外側領域ＳＲ２の和よりも広くなっている必要はない。
・ブラシ３２において、内側領域ＵＲが第１外側領域ＳＲ１及び第２外側領域ＳＲ２よりもそれぞれ広くなっていれば、内側領域ＵＲの広さを任意に変更してもよい。
【００６３】
・ブラシ３２において、基材４０は省略してもよい。この場合、ブラシ３２が毛羽体４１によって構成されるので、回転体３１の各凹溝３３に毛羽体４１が直接取り付けられる。
【００６４】
・連結糸５３は、必ずしも熱溶融繊維を含んでいる必要はない。
・ブラシ３２において、毛羽体４１と基材４０とは、必ずしも縫着によって接合する必要はなく、例えば、両面粘着テープによる粘着や接着剤による接着によって接合するようにしてもよい。
【００６５】
・ブラシ３２において、毛羽体４１と基材４０とを複数本の縫製糸４４によって縫着するようにしてもよい。
・ブラシ３２は、エアコンや換気扇などのフィルターを清掃したり、画像形成装置内の感光ドラムに付着したトナーを掻き取ったりするための用途に用いてもよい。この場合、ブラシ３２は、必ずしも回転させて使用する必要はなく、対象物に摺接させた状態で直線的に移動させて使用してもよい。
【００６６】
・ブラシ３２は、画像形成装置内の感光ドラムを帯電させるための帯電ブラシや、同感光ドラムを除電するための除電ブラシとして用いてもよい。
【符号の説明】
【００６７】
２２…回転ブラシ、３１…回転体、３２…ブラシ、４１…毛羽体、５１…第１毛羽部、５２…第２毛羽部、５３…連結糸、５４…第１糸、５５…第２糸、Ｆ…接触部の一例としての床面、ＳＲ１…外側領域を構成する第１外側領域、ＳＲ２…外側領域を構成する第２外側領域、ＵＲ…内側領域、Ａ…第１方向、Ｂ…第２方向。
【図１】
2019037540.tif 000003
【図２】
2019037540.tif 000004
【図３】
2019037540.tif 000005
【図４】
2019037540.tif 000006
【図５】
2019037540.tif 000007
【図６】
2019037540.tif 000008
【図７】
2019037540.tif 000009
【図８】
2019037540.tif 000010
【図９】
2019037540.tif 000011
【図１０】
2019037540.tif 000012
【図１１】
2019037540.tif 000013
【図１２】
2019037540.tif 000014
【図１３】
2019037540.tif 000015